(57)【要約】【課題】センサ信号線の断線有無を即座に判定することができる断線判定回路を提供する。【解決手段】磁気センサ部１４は、磁気センサ１４ａ，１４ｂの検出結果に応じて、ハイレベル信号またはローレベル信号となるセンサ出力信号を出力するセンサ出力ポートＯＵＴ１，ＯＵＴ２を有し、演算処理部１５は、センサ出力ポートＯＵＴ１，ＯＵＴ２から出力されたセンサ出力信号がセンサ信号線２１ａ，２１ｂを介して入力されるセンサ入力ポートＭＲ１，ＭＲ２と、ハイレベル信号またはローレベル信号となる断線判定用イネーブル信号を、抵抗Ｒ２，Ｒ３を介して、センサ信号線２１ａ，２１ｂに出力する断線判定用出力ポートＥＮ２とを有し、センサ入力ポートＭＲ１，ＭＲ２に入力された信号のレベルに応じて、センサ信号線２１ａ，２１ｂの断線有無を判定する。【選択図】図２
2020181308.tif 000002
【特許請求の範囲】
【請求項１】
検出対象を磁気センサによって検出する磁気センサ部と、
前記磁気センサから出力されたセンサ出力信号を演算処理する演算処理部とを備え、
前記磁気センサ部は、
前記磁気センサの検出結果に応じて、ハイレベル信号またはローレベル信号となるセンサ出力信号を出力するセンサ出力ポートを有し、
前記演算処理部は、
前記センサ出力ポートから出力されたセンサ出力信号がセンサ信号線を介して入力されるセンサ入力ポートと、
ハイレベル信号またはローレベル信号となる断線判定用イネーブル信号を、抵抗を介して、前記センサ信号線に出力する断線判定用出力ポートとを有し、
前記センサ入力ポートに入力された信号のレベルに応じて、前記センサ信号線の断線有無を判定する
ことを特徴とする断線判定回路。
【請求項２】
前記演算処理部は、
前記センサ出力ポートから出力されたセンサ出力信号が、前記センサ入力ポートに入力され、前記断線判定用出力ポートから出力された断線判定用イネーブル信号が、前記抵抗によって、前記センサ信号線に入力されない場合に、前記センサ信号線を、断線していないと判定し、
前記センサ出力ポートから出力されたセンサ出力信号が、前記センサ入力ポートに入力されず、前記断線判定用出力ポートから出力された断線判定用イネーブル信号が、前記センサ入力ポートに入力された場合に、前記センサ信号線を、断線していると判定する
ことを特徴とする請求項１記載の断線判定回路。
【請求項３】
前記磁気センサ部は、
電源が電源線を介して入力される電源入力ポートと、
一端が前記電源入力ポートと接続し、内部インピーダンスが設けられる内部接続線と、
前記内部接続線の他端と接続するグラウンド入力ポートとを有し、
前記演算処理部は、
前記電源入力ポートに電源を出力する電源出力ポートと、
前記グラウンド入力ポートに接続するグラウンド線に一端が接続するスイッチと、
前記スイッチの他端と接続するグラウンドと、
前記スイッチを開閉制御するための信号を出力するスイッチ切り替え用出力ポートと、
前記グラウンド線に接続する断線判定用入力ポートとを有し、
前記スイッチを前記スイッチ切り替え用出力ポートから出力された信号によって開状態にして、前記断線判定用入力ポートに入力された信号のレベルに応じて、前記電源線、前記内部接続線、及び、前記グラウンド線を含む電源ラインにおける断線を判定する
ことを特徴とする請求項２記載の断線判定回路。
【請求項４】
前記磁気センサ部は、
前記センサ信号線と前記電源入力ポート側の内部接続線との間と、前記センサ信号線と前記グラウンド入力ポート側の内部接続線との間とを、それぞれ接続し、前記電源入力ポートから前記内部接続線に入力された電源を、前記グラウンド入力ポート側から前記電源入力ポート側に向けて送信するダイオードを有し、
前記演算処理部は、
前記スイッチを前記スイッチ切り替え用出力ポートから出力された信号によって開状態にし、且つ、前記断線判定用出力ポートから出力する断線判定用イネーブル信号をハイレベル信号以外の信号とさせた状態で、前記断線判定用入力ポートに入力された信号のレベルに応じて、前記電源ラインの前記電源入力ポート側における断線有無、及び、前記電源ラインの前記グラウンド入力ポート側における断線有無を判定する
ことを特徴とする請求項３記載の断線判定回路。
【発明の詳細な説明】
【技術分野】
【０００１】
この発明は、配線の断線有無を判定することができる断線判定回路に関する。
【背景技術】
【０００２】
膜式及びルーツ式のガスメータは、ガスの流量を計測するための計量部を備えている。この計量部は、ガスの流れに伴って回転する回転体に磁石を設置し、その回転体の回転に伴う磁界の変化を、磁気センサによって検出することにより、ガスの流量を計測可能としている。磁気センサの出力信号は、配線を介して、演算処理装置に送信される。このため、ガスメータは、磁気センサの配線が断線した場合には、ガスの流量を計測することができない。
【０００３】
従来、断線判定機能を有するガスメータが提供されている。このような、従来のガスメータは、例えば、特許文献１に開示されている。
【先行技術文献】
【特許文献】
【０００４】
【特許文献１】特開２００３−２８７４５４号公報
【発明の概要】
【発明が解決しようとする課題】
【０００５】
上記従来のガスメータは、２つのリードスイッチから出力される出力信号を監視しており、その出力信号が検出されないリードスイッチに、断線等の異常が発生していると判定する。これにより、上記従来のガスメータは、常時、出力信号のパルス波形を監視する必要があり、また、リードスイッチの配線に断線が生じた場合であっても、出力信号が検出されなくなるまで、リードスイッチが断線したことを判定することができない。更に、上記従来のガスメータは、ガスの流量がない場合、即ち、回転体が回転していない場合には、リードスイッチの断線を即座に判定することができない。
【０００６】
この発明は、上記のような課題を解決するためになされたもので、センサ信号線の断線有無を即座に判定することができる断線判定回路を提供することを目的とする。
【課題を解決するための手段】
【０００７】
この発明に係る断線判定回路は、検出対象を磁気センサによって検出する磁気センサ部と、磁気センサから出力されたセンサ出力信号を演算処理する演算処理部とを備え、磁気センサ部は、磁気センサの検出結果に応じて、ハイレベル信号またはローレベル信号となるセンサ出力信号を出力するセンサ出力ポートを有し、演算処理部は、センサ出力ポートから出力されたセンサ出力信号がセンサ信号線を介して入力されるセンサ入力ポートと、ハイレベル信号またはローレベル信号となる断線判定用イネーブル信号を、抵抗を介して、センサ信号線に出力する断線判定用出力ポートとを有し、センサ入力ポートに入力された信号のレベルに応じて、センサ信号線の断線有無を判定することを特徴とするものである。
【発明の効果】
【０００８】
この発明によれば、センサ信号線の断線有無を即座に判定することができる。
【図面の簡単な説明】
【０００９】
【図１】実施の形態１に係る断線判定回路を備えたガスメータの構成を示した図である。
【図２】実施の形態１に係る断線判定回路を示した図である。
【図３】図３Ａは実施の形態２に係る断線判定回路を示した図である。図３Ｂは実施の形態２に係る断線判定結果を示した図である。
【図４】図４Ａは実施の形態３に係る断線判定回路を示した図である。図４Ｂは実施の形態３に係る断線判定結果を示した図である。
【発明を実施するための形態】
【００１０】
以下、この発明の実施の形態について図面を参照しながら詳細に説明する。なお、下記に記載した実施の形態は、断線判定回路をガスメータに適用した場合について説明したものである。
【００１１】
実施の形態１．
実施の形態１に係る断線判定回路について、図１及び図２を用いて説明する。先ず、実施の形態１に係る断線判定回路を備えたガスメータについて、図１を用いて説明する。図１は、実施の形態１に係る断線判定回路を備えたガスメータの構成を示した図である。
【００１２】
ガスメータは、回転軸１１、回転ディスク１２、磁石１３、磁気センサ部１４、演算処理部１５を備えている。
【００１３】
回転軸１１は、ガスの流れに応じて回転するものである。これにより、回転軸１１の回転数は、ガスの流速が高くなる程、次第に高くなる。また、回転軸１１の回転は、ガスが一方側に向けて流れる場合には、正転となり、ガスが他方側に向けて流れる場合には、逆転となる。この回転軸１１は、回転ディスク１２の中心孔に嵌入されている。
【００１４】
磁石１３は、回転ディスク１２の上面に設けられており、回転ディスク１２の周方向において、等間隔で配置されている。
【００１５】
磁気センサ部１４は、回転ディスク１２の径方向外側に設けられており、磁石１３とその径方向において対向するように配置されている。この磁気センサ部１４は、一対の磁気センサ１４ａ，１４ｂ及び磁気検出演算部１４ｃを有している。
【００１６】
磁気センサ１４ａ，１４ｂは、検出対象となる磁石１３の磁界を、間欠駆動することにより検出するものである。磁気検出演算部１４ｃは、磁気センサ１４ａ，１４ｂによって検出された磁界の変化（検出結果）を、センサ出力信号として出力するものである。
【００１７】
磁気検出演算部１４ｃから出力されるセンサ出力信号は、パルス状をなしており、ハイレベル信号とローレベル信号とが交互に連なった信号となっている。図１では、センサ出力信号のハイレベル区間を「Ｈ」と示し、センサ出力信号のローレベル区間を「Ｌ」と示している。
【００１８】
演算処理部１５は、磁気センサ部１４から出力されたセンサ出力信号に基づいて、ガスの流量、即ち、ガスの使用量を演算するものである。この演算処理部１５は、磁気センサ部１４の磁気センサ１４ａ，１４ｂと、センサ信号線２１ａ，２１ｂを介して接続されている。
【００１９】
次に、実施の形態１に係る断線判定回路について、図２を用いて説明する。図２は、実施の形態１に係る断線判定回路を示した図である。この図２に示した断線判定回路は、センサ信号線２１ａ，２１ｂの断線有無を判定するものである。
【００２０】
磁気センサ部１４は、上述した磁気センサ１４ａ，１４ｂ及び磁気検出演算部１４ｃに加えて、センサ出力ポートＯＵＴ１，ＯＵＴ２、電源入力ポートＥＮ、及び、グラウンド入力ポートＧＮＤを有している。センサ出力ポートＯＵＴ１，ＯＵＴ２は、磁気センサ１４ａ，１４ｂに対応して設けられている。
【００２１】
これに対して、演算処理部１５は、ＣＰＵ（Central Processing Unit）１５ａ及びデジタルグラウンドＤＧＮＤを有している。更に、ＣＰＵ１５ａは、センサ入力ポートＭＲ１，ＭＲ２、電源出力ポートＥＮ１、断線判定用出力ポートＥＮ２、及び、抵抗Ｒ２，Ｒ３を有している。
【００２２】
センサ出力ポートＯＵＴ１，ＯＵＴ２と、センサ入力ポートＭＲ１，ＭＲ２とは、センサ信号線２１ｂ，２１ａを介して、接続されている。電源出力ポートＥＮ１と電源入力ポートＥＮとは、電源線２２を介して、接続されている。断線判定用出力ポートＥＮ２は、抵抗Ｒ２，Ｒ３を介して、センサ信号線２１ａ，２１ｂに接続されている。グラウンド入力ポートＧＮＤとデジタルグラウンドＤＧＮＤとは、グラウンド線２３を介して、接続されている。
【００２３】
従って、センサ信号線２１ａ，２１ｂの断線有無を判定する場合には、先ず、演算処理部１５のＣＰＵ１５ａは、磁気センサ部１４の駆動を有効にさせるためのイネーブル信号を、電源出力ポートＥＮ１から電源入力ポートＥＮに向けて出力する。このイネーブル信号は、磁気センサ部１４の電源となる信号であって、ハイレベル信号またはローレベル信号となっている。
【００２４】
次いで、磁気センサ部１４の磁気検出演算部１４ｃは、ハイレベル信号またはローレベル信号となるセンサ出力信号を、センサ出力ポートＯＵＴ１からセンサ信号線２１ａを介してセンサ入力ポートＭＲ１に向けて出力する。また、磁気センサ部１４の磁気検出演算部１４ｃは、ハイレベル信号またはローレベル信号となるセンサ出力信号を、センサ出力ポートＯＵＴ２からセンサ信号線２１ｂを介してセンサ入力ポートＭＲ２に向けて出力する。
【００２５】
そして、断線判定回路は、断線判定モードに移行し、これに伴って、演算処理部１５のＣＰＵ１５ａは、ローレベル信号またはハイレベル信号となる断線判定用イネーブル信号を、断線判定用出力ポートＥＮ２から抵抗Ｒ２，Ｒ３を介してセンサ信号線２１ａ，２１ｂに向けて出力する。
【００２６】
断線判定用出力ポートＥＮ２から出力される信号のレベルは、センサ出力ポートＯＵＴ１，ＯＵＴ２からセンサ入力ポートＭＲ１，ＭＲ２に入力される信号のレベルとは、逆のレベルとなる。即ち、センサ入力ポートＭＲ１，ＭＲ２に入力されるセンサ出力信号がハイレベル信号となる場合には、断線判定用出力ポートＥＮ２から出力される断線判定用イネーブル信号は、ローレベル信号となる。また、センサ入力ポートＭＲ１，ＭＲ２に入力されるセンサ出力信号がローレベル信号となる場合には、断線判定用出力ポートＥＮ２から出力される断線判定用イネーブル信号は、ハイレベル信号となる。なお、断線判定用出力ポートＥＮ２は、センサ入力ポートＭＲ１，Ｍ２ごとに対応して設けても構わない。
【００２７】
このとき、センサ出力ポートＯＵＴ１から出力されたセンサ出力信号が、センサ入力ポートＭＲ１に入力され、断線判定用出力ポートＥＮ２から出力された断線判定用イネーブル信号が、抵抗Ｒ２によって、センサ信号線２１ａに入力されない場合には、演算処理部１５のＣＰＵ１５ａは、センサ入力ポートＭＲ１に入力された信号のレベルが変化していないため、センサ信号線２１ａを、断線していないと判定する。
【００２８】
一方、センサ出力ポートＯＵＴ１から出力されたセンサ出力信号が、センサ入力ポートＭＲ１に入力されず、断線判定用出力ポートＥＮ２から出力された断線判定用イネーブル信号が、センサ入力ポートＭＲ１に入力された場合には、演算処理部１５のＣＰＵ１５ａは、センサ入力ポートＭＲ１に入力された信号のレベルが変化しているため、センサ信号線２１ａを、断線していると判定する。
【００２９】
同様に、センサ出力ポートＯＵＴ２から出力されたセンサ出力信号が、センサ入力ポートＭＲ２に入力され、断線判定用出力ポートＥＮ２から出力された断線判定用イネーブル信号が、抵抗Ｒ３によって、センサ信号線２１ｂに入力されない場合には、演算処理部１５のＣＰＵ１５ａは、センサ入力ポートＭＲ２に入力された信号のレベルが変化していないため、センサ信号線２１ｂを、断線していないと判定する。
【００３０】
一方、センサ出力ポートＯＵＴ２から出力されたセンサ出力信号が、センサ入力ポートＭＲ２に入力されず、断線判定用出力ポートＥＮ２から出力された断線判定用イネーブル信号が、センサ入力ポートＭＲ２に入力された場合には、演算処理部１５のＣＰＵ１５ａは、センサ入力ポートＭＲ２に入力された信号のレベルが変化しているため、センサ信号線２１ｂを、断線していると判定する。
【００３１】
但し、実施の形態１に係る断線判定回路は、一対の磁気センサ１４ａ，１４ｂを備えているが、１つ以上の磁気センサを備えていれば良い。センサ入力ポート、センサ出力ポート、及び、センサ信号線の数量は、その磁気センサの数量に対応させれば良い。
【００３２】
また、実施の形態１に係る断線判定回路は、流量計測時においては、断線判定用出力ポートＥＮ２を、ハイインピーダンスとなるように切り替えても良い。
【００３３】
以上より、実施の形態１に係る断線判定回路は、センサ信号線２１ａ，２１ｂの断線有無を即座に判定することができる。
【００３４】
実施の形態２．
実施の形態２に係る断線判定回路について、図３を用いて説明する。図３Ａは、実施の形態２に係る断線判定回路を示した図である。図３Ｂは、実施の形態２に係る断線判定結果を示した図である。
【００３５】
ここで、図３Ａに示した実施の形態２に係る断線判定回路は、実施の形態１に係る断線判定回路の構成に、電源線２２の断線有無を判定する構成を追加したものである。このため、実施の形態２に係る断線判定回路においては、実施の形態１に係る断線判定回路を構成する部材の説明、及び、センサ信号線２１ａ，２１ｂの断線有無の判定に関する説明を、省略している。
【００３６】
磁気センサ部１４は、内部接続線２４及び内部インピーダンスＲ１を有している。内部接続線２４は、電源入力ポートＥＮとグラウンド入力ポートＧＮＤとを接続するものである。内部インピーダンスＲ１は、内部接続線２４上に設けられている。
【００３７】
これに対して、演算処理部１５のＣＰＵ１５ａは、センサ入力ポートＭＲ１，ＭＲ２、電源出力ポートＥＮ１、及び、断線判定用出力ポートＥＮ２、及び、抵抗Ｒ２，Ｒ３に加えて、断線判定用出力ポートＥＮ３、スイッチ切り替え用出力ポートＥＮ４、断線判定用入力ポートＭＲ３、スイッチＳＷ１、及び、抵抗Ｒ４を有している。
【００３８】
断線判定用出力ポートＥＮ２，ＥＮ３は、抵抗Ｒ２，Ｒ３を介して、センサ信号線２１ａ，２１ｂに接続されている。ＣＰＵ１５ａは、断線判定用出力ポートＥＮ２，ＥＮ３から出力される断線判定用イネーブル信号を、ハイレベル信号またはローレベル信号に切り替えるためのスイッチを内蔵している。
【００３９】
スイッチＳＷ１は、一端がグラウンド入力ポートＧＮＤと接続し、他端がデジタルグラウンドＤＧＮＤと接続している。このスイッチＳＷ１は、スイッチ切り替え用出力ポートＥＮ４から出力された信号によって、開閉制御、即ち、開状態と閉状態との間で切り替えられる。
【００４０】
但し、スイッチＳＷ１は、ＣＰＵ１５ａの外部に設けられているが、ＣＰＵ１５ａの内部に設けても構わない。
【００４１】
従って、電源線２２の断線有無を判定する場合には、演算処理部１５のＣＰＵ１５ａは、断線判定回路による断線判定モードへの移行に伴って、スイッチ切り替え用出力ポートＥＮ４の信号をローレベル信号にして、スイッチＳＷ１を開状態にする。
【００４２】
このとき、電源出力ポートＥＮ１から出力されたイネーブル信号が、断線判定用入力ポートＭＲ３に入力された場合（断線判定用入力ポートＭＲ３に入力された信号がハイレベル信号の場合）には、演算処理部１５のＣＰＵ１５ａは、電源線２２、グラウンド線２３、及び、内部接続線２４を含む電源ラインを、断線していないと判定する。
【００４３】
一方、電源出力ポートＥＮ１から出力されたイネーブル信号が、断線判定用入力ポートＭＲ３に入力されない場合（断線判定用入力ポートＭＲ３に入力された信号がローレベル信号の場合）には、演算処理部１５のＣＰＵ１５ａは、電源線２２、グラウンド線２３、及び、内部接続線２４を含む電源ラインを、断線していると判定する。
【００４４】
図３Ｂは、上述したように、実施の形態２に係る断線判定結果を示した図である。この図３Ｂに示した断線判定結果は、電源出力ポートＥＮ１から出力されるイネーブル信号を、ハイレベル信号とし、断線判定用出力ポートＥＮ２，ＥＮ３から出力される信号を、センサ入力ポートＭＲ１，ＭＲ２に入力される信号のレベルの逆となるレベルの信号とし、スイッチ切り替え用出力ポートＥＮ４から出力される信号を、ローレベル信号とした場合のものである。
【００４５】
これにより、演算処理部１５のＣＰＵ１５ａは、センサ入力ポートＭＲ１，ＭＲ２に入力された信号のレベルを検出し、この検出した信号のレベルとは逆のレベルとなる信号を、断線判定用出力ポートＥＮ２，ＥＮ３から出力する。次いで、演算処理部１５のＣＰＵ１５ａは、センサ入力ポートＭＲ１，ＭＲ２に入力された信号のレベルを再度検出する。
【００４６】
このとき、演算処理部１５のＣＰＵ１５ａは、センサ入力ポートＭＲ１，ＭＲ２に入力された信号のレベルが、最初の検出時とその次の検出時とで同じになる場合には、センサ信号線２１ａ，２１ｂを、断線していないと判定する。一方、演算処理部１５のＣＰＵ１５ａは、センサ入力ポートＭＲ１，ＭＲ２に入力された信号のレベルが、最初の検出時とその次の検出時とで異なる場合には、センサ信号線２１ａ，２１ｂを、断線していると判定する。
【００４７】
また、演算処理部１５のＣＵＰ１５ａは、断線判定用入力ポートＭＲ３に入力される信号が、ハイレベル信号であるか、または、ローレベル信号であるかによって、電源ラインの断線有無を判定することができる。
【００４８】
但し、実施の形態２に係る断線判定回路は、流量計測時においては、断線判定用出力ポートＥＮ２，ＥＮ３を、ハイインピーダンスとなるように切り替えても良い。
【００４９】
以上より、実施の形態２に係る断線判定回路は、電源ラインの断線有無を判定することができる。
【００５０】
実施の形態３．
実施の形態３に係る断線判定回路について、図４を用いて説明する。図４Ａは、実施の形態３に係る断線判定回路を示した図である。図４Ｂは、実施の形態３に係る断線判定結果を示した図である。
【００５１】
ここで、図４Ａに示した実施の形態３に係る断線判定回路は、実施の形態２に係る断線判定回路の構成に、保護用となる２つのクランプダイオード２５ａ，２５ｂを追加して、電源線２２、グラウンド線２３、及び、内部接続線２４を含む電源ラインにおいて、内部インピーダンスＲ１を境にして、電源入力ポートＥＮ側の断線有無及びグラウンド入力ポートＧＮＤ側の断線有無を判定するものである。このため、実施の形態３に係る断線判定回路においては、実施の形態１，２に係る断線判定回路を構成する部材の説明、及び、センサ信号線２１ａ，２１ｂの断線有無の判定に関する説明を、省略している。
【００５２】
磁気センサ部１４は、クランプダイオード２５ａ，２５ｂを有している。クランプダイオード２５ａは、センサ信号線２１ｂと、電源入力ポートＥＮと内部インピーダンスＲ１との間の内部接続線２４とを接続するものであり、電源入力ポートＥＮから内部接続線２４に入力したイネーブル信号の送信方向を、センサ信号線２１ｂ側から内部接続線２４側としている。クランプダイオード２５ｂは、センサ信号線２１ｂと、内部インピーダンスＲ１とグラウンド入力ポートＧＮＤの間の内部接続線２４とを接続するものであり、電源入力ポートＥＮから内部接続線２４に入力したイネーブル信号の送信方向を、内部接続線２４側からセンサ信号線２１ｂ側としている。
【００５３】
但し、図４に示した断線判定回路は、センサ信号線２１ｂに対するクランプダイオード２５ａ，２５ｂのみを図示しており、センサ信号線２１ａに対するクランプダイオード２５ａ，２５ｂについては、省略している。
【００５４】
従って、電源ラインの断線有無を判定する場合には、演算処理部１５のＣＰＵ１５ａは、断線判定回路による断線判定モードへの移行に伴って、スイッチ切り替え用出力ポートＥＮ４の信号をローレベル信号にして、スイッチＳＷ１を開状態にした後、ローレベル信号となる断線判定用イネーブル信号を、断線判定用出力ポートＥＮ３から抵抗Ｒ３を介してセンサ信号線２１ｂに向けて出力する。
【００５５】
このとき、電源出力ポートＥＮ１から出力されたイネーブル信号が、センサ入力ポートＭＲ２（ＭＲ１）及び断線判定用入力ポートＭＲ３に入力された場合には、演算処理部１５のＣＰＵ１５ａは、電源ラインの電源入力ポートＥＮ側及びグラウンド入力ポートＧＮＤ側を、断線していないと判定する。
【００５６】
また、電源出力ポートＥＮ１から出力されたイネーブル信号が、センサ入力ポートＭＲ２（ＭＲ１）及び断線判定用入力ポートＭＲ３に入力されない場合には、演算処理部１５のＣＰＵ１５ａは、電源ラインの電源入力ポートＥＮ側を、断線していると判定する。
【００５７】
更に、電源出力ポートＥＮ１から出力されたイネーブル信号が、センサ入力ポートＭＲ２に入力され、断線判定用入力ポートＭＲ３に入力されない場合には、演算処理部１５のＣＰＵ１５ａは、電源ラインのグラウンド入力ポートＧＮＤ側を、断線していると判定する。
【００５８】
図４Ｂは、上述したように、実施の形態３に係る断線判定結果を示した図である。この図４Ｂに示した断線判定結果は、電源出力ポートＥＮ１から出力されるイネーブル信号を、ハイレベル信号とし、断線判定用出力ポートＥＮ３（ＥＮ２）及びスイッチ切り替え用出力ポートＥＮ４から出力される信号を、ローレベルとした場合のものである。なお、図４Ｂにおいては、電源ラインの電源入力ポートＥＮ側を「電源＋線」と示し、電源ラインのグラウンド入力ポートＧＮＤ側を「電源−線」と示している。
【００５９】
これにより、演算処理部１５のＣＰＵ１５ａは、センサ入力ポートＭＲ２（ＭＲ１）及び断線判定用入力ポートＭＲ３に入力される信号が、ハイレベル信号であるか、または、ローレベル信号であるかによって、電源ラインの電源入力ポートＥＮ側における断線有無、及び、グラウンド入力ポートＧＮＤ側における断線有無を、それぞれ判定することができる。
【００６０】
また、実施の形態３に係る断線判定回路は、抵抗Ｒ３と並列になるように配置された抵抗成分を備えて、断線判定用出力ポートＥＮ３（ＥＮ２）から出力する断線判定用イネーブル信号を、ローレベル信号ではなく、ハイインピーダンスに変更、即ち、ハイレベル信号以外の信号に変更することが可能である。これにより、断線判定回路は、上述した構成を採用しても、電源ラインの電源入力ポートＥＮ側における断線有無、及び、グラウンド入力ポートＧＮＤ側における断線有無を、それぞれ判定することができる。
【００６１】
以上より、実施の形態３に係る断線判定回路は、電源ラインの電源入力ポートＥＮ側における断線有無、及び、グラウンド入力ポートＧＮＤ側における断線有無を判定することができる。
【００６２】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【００６３】
１１    回転軸
１２    回転ディスク
１３    磁石
１４    磁気センサ部
１４ａ，１４ｂ  磁気センサ
１４ｃ  磁気検出演算部
１５    演算処理部
１５ａ  ＣＰＵ
２１ａ，２１ｂ  センサ信号線
２２    電源線
２３    グラウンド線
２４    内部接続線
２５ａ，２５ｂ    クランプダイオード
ＯＵＴ１    センサ出力ポート
ＯＵＴ２    センサ出力ポート
ＥＮ    電源入力ポート
ＥＮ１    電源出力ポート
ＥＮ２，ＥＮ３    断線判定用出力ポート
ＥＮ４    スイッチ切り替え用出力ポート
ＭＲ１，ＭＲ２    センサ入力ポート
ＭＲ３    断線判定用入力ポート
ＧＮＤ    グラウンド入力ポート
ＤＧＮＤ    デジタルグラウンド
ＳＷ１    スイッチ
Ｒ１    内部インピーダンス
Ｒ２〜Ｒ４    抵抗
【図１】
2020181308.tif 000003
【図２】
2020181308.tif 000004
【図３】
2020181308.tif 000005
【図４】
2020181308.tif 000006